(57)【要約】      （修正有）【課題】外部貯水源に貯留された水を浄化して外部貯水源に戻して再利用することが可能で、しかもこれを比較的簡単な構成で容易に達成することが可能な洗濯機を提供する。【解決手段】本実施形態の洗濯機１は、洗濯用の槽４を有する洗濯機本体１Ａと、紫外線照射手段４５を有して前記洗濯機本体１Ａに設けられ通過する水を浄化する機能を備えた水浄化装置１３と、この水浄化装置１３の入口側に設けられ外部貯水源２７に貯留された水２８を前記水浄化装置１３に案内する往路用水路２６と、前記水浄化装置１３の出口側に設けられ当該水浄化装置１３を通過した水を前記外部貯水源２７に戻すように案内する戻し用水路５７と、前記外部貯水源２７の水２８を前記往路用水路２６を通して前記水浄化装置１３へ供給するポンプ２９と、を備える。【選択図】図１
2015136424.tif 000002
【特許請求の範囲】
【請求項１】
洗濯用の槽を有する洗濯機本体と、
紫外線照射手段を有して前記洗濯機本体に設けられ通過する水を浄化する機能を備えた水浄化装置と、
この水浄化装置の入口側に設けられ外部貯水源に貯留された水を前記水浄化装置に案内する往路用水路と、
前記水浄化装置の出口側に設けられ当該水浄化装置を通過した水を前記外部貯水源に戻すように案内する戻し用水路と、
前記外部貯水源の水を前記往路用水路を通して前記水浄化装置へ供給するポンプと、
を備えたことを特徴とする洗濯機。
【請求項２】
前記水浄化装置は、紫外線を受けて活性化して有機物を分解する機能を発揮する光触媒を備えていることを特徴とする請求項１記載の洗濯機。
【請求項３】
前記水浄化装置の出口側に、当該水浄化装置を通過した水を前記槽側へ流す場合と前記戻し用水路側へ流す場合とを切り替えが可能な第１の流路切替弁を備えていることを特徴とする請求項１または２記載の洗濯機。
【請求項４】
前記ポンプは前記洗濯機本体に設けられた内蔵ポンプであり、
この内蔵ポンプにより、前記外部貯水源の水を前記水浄化装置を通して前記外部貯水源に戻すように循環させる場合、前記第１の流路切替弁の出先を前記戻し用水路側に切り替えるとともに、前記水浄化装置を作動させた状態で、前記内蔵ポンプを作動させることを特徴とする請求項３記載の洗濯機。
【請求項５】
前記往路用給水路の先端部に外付け用ポンプが設けられていることを特徴とする請求項１から４のいずれか一項記載の洗濯機。
【請求項６】
前記洗濯機本体には、前記外付け用ポンプを接続可能な直流電源が設けられていることを特徴とする請求項５記載の洗濯機。
【請求項７】
前記外付け用ポンプにより、前記外部貯水源の水を前記水浄化装置を通して前記外部貯水源に戻すように循環させる場合、前記第１の流路切替弁の出先を前記戻し用水路側に切り替えるとともに、前記水浄化装置を作動させた状態で、前記外付け用ポンプを作動させることを特徴とする請求項５または６記載の洗濯機。
【請求項８】
前記水浄化装置の入口側には第２の流路切替弁が設けられていて、
前記第２の流路切替弁は、
前記往路用水路が接続される第１の入口と、水道水用給水路が接続される第２の入口と、前記槽内の水を循環させる循環水路が接続される第３の入口と、前記水浄化装置の入口に接続される一つの出口と、を備えていて、
前記外部貯水源の水を前記水浄化装置を通して前記外部貯水源に戻すように循環させる場合において、前回の運転コースが洗濯コースであった場合には、前記第２の流路切替弁を前記第２の入口と前記出口とを連通させるように切り替えるとともに、前記第１の流路切替弁の出先を前記槽にした状態で、所定時間水道水を前記水浄化装置を通して前記槽へ流し、この後、前記第２の流路切替弁を前記第１の入口と前記出口とを連通させるように切り替えるとともに、前記第１の流路切替弁の出先を前記戻し用水路に切り替え、前記水浄化装置を作動させた状態で、前記ポンプを作動させて前記外部貯水源の水を前記水浄化装置を通して前記外部貯水源に戻すように循環させることを特徴とする請求項３記載の洗濯機。
【請求項９】
前記槽内の水を前記洗濯機本体の外部へ排出する排水路に排水ポンプが設けられ、前記水浄化装置で浄化された水を、前記排水ポンプを用いて前記外部貯水源に戻すことが可能な構成であることを特徴とする請求項１または２記載の洗濯機。
【請求項１０】
前記外部貯水源に貯留された水を、前記ポンプにより前記往路用水路および前記水浄化装置を通して前記槽へ供給し、その槽内へ供給された水を、前記排水ポンプにより前記排水路を通して前記外部貯水源に戻すようにすることが可能な構成であることを特徴とする請求項９記載の洗濯機。
【請求項１１】
前記外部貯水源に貯留される水量をＡ（Ｌ）、前記水浄化装置の処理体積をＣ（Ｌ）、前記紫外線照射手段の照射強度をＤ（Ｗ／ｃｍ２）、対象菌９９．９９％以上の除菌効果を発揮する紫外線照射量をＥ（Ｗ・ｍｉｎ／ｃｍ２）としたとき、前記水浄化装置の運転時間を（Ａ・Ｅ）／（Ｃ・Ｄ）（ｍｉｎ）以上とした水浄化コースを設けたことを特徴とする請求項１から１０のいずれか一項記載の洗濯機。
【発明の詳細な説明】
【技術分野】
【０００１】
本発明の実施形態は洗濯機に関する。
【背景技術】
【０００２】
近年の浴槽においては追い炊き機能が付いたものがあり、時間経過とともに浴槽内の風呂水が冷めても、風呂水を温め直して入浴することが可能で、翌日、翌々日も入ることが可能である。しかし、入浴後の風呂水は一日経つと雑菌が繁殖し不衛生となるため、入浴後の風呂水を再利用する場合には、風呂水を除菌処理等することで清潔さを保つことが求められる。追い炊き機能付きの浴槽に浄化機能を後付けする場合は、工事等が必要であり、マンション等ですでに浴槽が設置されている住居では浄化機能を追加することは困難である。
【０００３】
一方、洗濯機においては、水の有効利用を図るため、外部貯水源である浴槽の風呂水を利用して洗濯できるようにしたものがある。また、洗濯機においては、水浄化装置を備え、風呂水を浄化する機能を備えたものも提案されている。
【先行技術文献】
【特許文献】
【０００４】
【特許文献１】特開２００２−９５８８９号公報
【特許文献２】特開２００６−５１１７２号公報
【発明の概要】
【発明が解決しようとする課題】
【０００５】
そこで、外部貯水源に貯留された水を浄化して外部貯水源に戻して再利用することが可能で、しかもこれを比較的簡単な構成で容易に達成することが可能な洗濯機を提供する。
【課題を解決するための手段】
【０００６】
本実施形態の洗濯機は、洗濯用の槽を有する洗濯機本体と、紫外線照射手段を有して前記洗濯機本体に設けられ通過する水を浄化する機能を備えた水浄化装置と、この水浄化装置の入口側に設けられ外部貯水源に貯留された水を前記水浄化装置に案内する往路用水路と、前記水浄化装置の出口側に設けられ当該水浄化装置を通過した水を前記外部貯水源に戻すように案内する戻し用水路と、前記外部貯水源の水を前記往路用水路を通して前記水浄化装置へ供給するポンプと、を備える。
【図面の簡単な説明】
【０００７】
【図１】第１の実施形態による洗濯機の概略構成を示す図
【図２】水浄化装置の概略構成を示す断面図
【図３】電気的構成の概略構成を示すブロック図
【図４】風呂水浄化コースの流れを示すフローチャート
【図５】第２実施形態による洗濯機の概略構成を示す図
【図６】図３相当図
【図７】図４相当図
【発明を実施するための形態】
【０００８】
以下、複数の実施形態による洗濯機を図面に基づいて説明する。なお、各実施形態において実質的に同一の構成部位には同一の符号を付し、説明を省略する。
（第１実施形態）
まず、第１実施形態について図１から図４を参照して説明する。洗濯機１は、この場合、縦軸型の全自動洗濯機である。この洗濯機１における洗濯機本体１Ａの外殻は、矩形箱状をなす外箱２の上部にトップカバー３を装着して構成されている。外箱２内には、洗濯物を洗濯する際に使用される槽４が設けられている。この槽４は、有底円筒状をなす水槽５と、この水槽５内に回転可能に配設された有底円筒状の回転槽６とから構成されている。このうち水槽５は、図示しない弾性吊持機構により外箱２に弾性的に吊持されている。
【０００９】
回転槽６は、図示はしないが周壁部に脱水用の孔を多数有している。洗濯物は、回転槽６内に出し入れ可能に収容される。回転槽６内の底部には、パルセータ７が回転可能に設けられている。水槽５の外底部には、駆動部８が設けられている。この駆動部８は、モータ９（図３参照）およびクラッチを備えていて、パルセータ７のみを回転させる場合と、回転槽６とパルセータ７を一体的に回転させる場合とを切り替え可能な構成となっている。
【００１０】
前記トップカバー３には、図示はしないが洗濯物出入口が設けられていて、この洗濯物出入口が、前記回転槽６の上面開口部に上方から臨んでいる。このトップカバー３の内部には、給水弁１０と、注水ケース１１と、風呂水用の内蔵ポンプ１２と、水浄化装置１３などが配設されている。このうち給水弁１０は、水道水の流入口となるホース接続口１４と、水道水の流出口となる給水用流出口１５、呼び水用流出口１６、および洗浄用流出口１７を有している。
【００１１】
ホース接続口１４には、図示しない水道の蛇口に接続された機外給水ホースの先端部が接続される。水道は、水道水の水源である。給水用流出口１５には給水管１８の一端部が接続され、この給水管１８の他端部は、注水ケース１１の給水路の入口に接続されている。呼び水用流出口１６には呼び水用給水管１９の一端部が接続され、この呼び水用給水管１９の他端部は、注水ケース１１の呼び水用給水路の入口に接続されている。洗浄用流出口１７には、水道水用給水路を構成する洗浄用給水管２０の一端部が接続され、この洗浄用給水管２０の他端部は、後述する第２の流路切替弁３５の第２の入口３６ｂに接続されている。注水ケース１１は、下向きの給水口２１を有していて、その給水口２１の下端部が、回転槽６の上面開口部に上方から臨んでいる。
【００１２】
給水弁１０は、電磁弁から構成されていて、給水状態と、呼び水給水状態と、洗浄水給水状態と、給水停止状態とに切り替え可能である。給水状態では、機外給水ホースから供給される水道水を、給水用流出口１５から給水管１８へ流出させ、その水道水は、注水ケース１１の給水路を通り、給水口２１から槽４内へ供給される。呼び水給水状態では、機外給水ホースから供給される水道水を、呼び水用流出口１６から呼び水用給水管１９側へ流出させる。洗浄水給水状態では、機外給水ホースから供給される水道水を、洗浄用流出口１７から洗浄用給水管２０側へ流出させる。
【００１３】
内蔵ポンプ１２は、風呂水の流入口となるホース接続口２３と、呼び水の流入口となる呼び水用流入口２４と、風呂水の出口となる風呂水吐出口２５を有している。風呂水を使用する場合には、ホース接続口２３に、往路用水路を構成する往路用ホース２６の一端部が接続される。この往路用ホース２６の他端部となる先端部は、外部貯水源を構成する浴槽２７に貯留された風呂水２８中に挿入されている。往路用ホース２６の先端部には、外付け用ポンプ２９が設けられている。この外付け用ポンプ２９には電気ケーブル３０の一端部が接続されている。電気ケーブル３０の他端部に設けられた電源接続部３１が、洗濯機本体１Ａにおけるトップカバー３に設けられた直流電源３２に抜き差し可能に接続される。
【００１４】
内蔵ポンプ１２における呼び水用流入口２４には、呼び水用通水路３３の一端部が接続されている。呼び水用通水路３３の他端部は、注水ケース１１における呼び水用給水路の流出口に接続されている。給水弁１０が呼び水給水状態のときに、呼び水用流出口２２から注水ケース１１の呼び水用給水路に供給された呼び水は、呼び水用通水路３３を通して内蔵ポンプ１２に供給される。呼び水用通水路３３の途中部には逆止弁３４が設けられている。この逆止弁３４は、呼び水が注水ケース１１の呼び水用給水路から内蔵ポンプ１２側へ供給される場合はその呼び水の通過を許容するが、風呂水が内蔵ポンプ１２側から注水ケース１１側へ流れることを遮断するためのものである。
【００１５】
内蔵ポンプ１２の風呂水吐出口２５は、第２の流路切替弁３５における第１の入口３６ａに接続されている。第２の流路切替弁３５は、第１の入口３６ａと、第２の入口３６ｂと、第３の入口３６ｃと、ひとつの出口３７を有している。第１の入口３６ａは、内蔵ポンプ１２を介して前記往路用ホース２６が接続される。第２の入口３６ｂは、水道用給水路を構成する前記洗浄用給水管２０の他端部が接続されている。第３の入口３６ｃには、後述する循環水路６６の一端部が接続されている。第２の流路切替弁３５は、風呂水通水状態と、洗浄水通水状態と、循環水通水状態とに切り替え可能である。風呂水通水状態では、第１の入口３６ａと出口３７を連通させる。洗浄水通水状態では、第２の入口３６ｂと出口３７を連通させる。循環水通水状態では、第３の入口３６ｃと出口３７を連通させる。
【００１６】
第２の流路切替弁３５の出口３７は、接続管４０を介して前記水浄化装置１３の入口となる流入口４１に接続されている。水浄化装置１３の構成について、図２も参照して説明する。水浄化装置１３は、横方向に延びる浄化装置ケース４２を備えている。この浄化装置ケース４２は、図２における左側の汚れ浄化部４３と、右側の除菌部４４を備えている。汚れ浄化部４３および除菌部４４はともに円筒状であるが、左側の汚れ浄化部４３が右側の除菌部４４よりも径大とされている。浄化装置ケース４２の内部には、これの長手方向に沿って１本の紫外線ランプ４５が設けられている。紫外線ランプ４５は保護管により外側から保護されている。この紫外線ランプ４５は、紫外線照射手段を構成する。浄化装置ケース４２における汚れ浄化部４３の左側部の下部に、前記流入口４１が横向きに設けられている。
【００１７】
汚れ浄化部４３における流入口４１側には仕切部４６が設けられていて、この仕切部４６により流入口側空間部４７が形成されている。仕切部４６には、複数の孔部４８が形成されている。この場合、流入口４１から流入口側空間部４７内へ流入する水は、仕切部４６の手前で広がり、孔部４８を通して汚れ浄化部４３内へ流入するようになる。除菌部４４における右上部に、流出口４９が上向きに設けられている。
【００１８】
流入口４１から浄化装置ケース４２内に水が流入すると、その水は矢印方向に流れる。したがって、浄化装置ケース４２は通水方向に長く、紫外線ランプ４５は通水方向に沿って延びている。また、汚れ浄化部４３と除菌部４４は、１本の共通の紫外線ランプ４５の延び方向に直列に配置された形態となっている。
【００１９】
汚れ浄化部４３の内部には、フィルタ状の光触媒５０が設けられている。このフィルタ状の光触媒５０は、この場合多孔質状のセラミックに光触媒を担持させた構成のもので、ドーナツ状をなしていて、その中心部に紫外線ランプ４５が貫通している。ドーナツ状をなす光触媒５０は、紫外線ランプ４５の延び方向に複数配置されている。浄化装置ケース４２における汚れ浄化部４３および除菌部４４の内面には、紫外線を反射する反射体５１が設けられている。
【００２０】
ここで、風呂水などの水が、流入口４１から浄化装置ケース４２の汚れ浄化部４３内に流入すると、その水に含まれた有機成分などの汚れ成分がフィルタ状の光触媒５０に吸着される。このとき、紫外線ランプ４５が点灯されて紫外線が光触媒５０に照射されると、光触媒５０が活性化され、その吸着された汚れ成分を分解するようになる。また、汚れ浄化部４３内に流入した水に紫外線ランプ４５の紫外線が直接照射されることに伴い、その水に含まれた雑菌などが紫外線により除菌されるようにもなる。そして、光触媒５０にて浄化された水は、除菌部４４内を通る過程で、紫外線ランプ４５の紫外線の照射により一層除菌されるようになる。したがって、風呂水などの水は、その水浄化装置１３を通過することで浄化および除菌され、流出口４９から流出することになる。水浄化装置１３の流出口４９は、図１に示す第１の流路切替弁５３の入口５４に接続されている。
【００２１】
第１の流路切替弁５３は、ひとつの入口５４と、第１の出口５５ａおよび第２の出口５５ｂを有している。第１の流路切替弁５３は、槽通水状態と、浴槽戻し状態とに切り替え可能とされている。槽通水状態では、入口５４と第１の出口５５ａを連通させる。浴槽戻し状態では、入口５４と第２の出口５５ｂを連通させる。第１の出口５５ａは、接続管５６を介して注水ケース１１の給水路に接続されている。第２の出口５５ｂには、戻し用水路を構成する戻し用ホース５７の一端部が接続される。戻し用ホース５７の他端部は、前記浴槽２７の風呂水２８中に挿入されている。戻し用ホース５７の他端部には、重り５８が取り付けられている。
【００２２】
図１において、外箱２内の下部には循環ポンプ６０が配設されている。この循環ポンプ６０の吸入口６１は、フィルタユニット６２におけるフィルタケース６３の循環用流出口６４に接続されている。循環ポンプ６０の吐出口６５は、上方に延びる循環水路６６の下端部に接続されている。循環水路６６の上端部は、前記第２の流路切替弁３５における第３の入口３６ｃに接続されている。フィルタケース６３には、フィルタ６７が着脱可能に装着されている。
【００２３】
フィルタケース６３は、前記循環用流出口６４と、排水用流出口６８と、流入口６９を有している。流入口６９は、接続管７０を介して前記水槽５の排水口７１に接続されている。排水用流出口６８は、排水弁７２を介して排水路７３に接続されている。ここで、排水弁７２が開放されると、水槽５内に貯留されていた水は、排水口７１、接続管７０、フィルタケース、排水用流出口６８、排水弁７２、排水路７３を通って機外へ排出される。このとき、水に含まれていたリントなどの比較的大きな異物は、フィルタ６７にて捕獲される。
【００２４】
また、循環ポンプ６０が駆動されると、槽４内に貯留されていた水がフィルタユニット６２を通して循環ポンプ６０に吸入され、その吸入された水は、吐出口６５から循環水路６６に向けて吐出される。このときも、フィルタユニット６２を通過する水にリントなどの異物が含まれていた場合、その異物はフィルタ６７にて捕獲される。
【００２５】
前記トップカバー３の所定部位には、図示はしないが操作パネルが設けられている。その操作パネルには、コースや水位など各種の設定をするための複数の操作キー７５や、設定内容を表示する表示部７６（ともに図３参照）が設けられている。操作キー７５としては、洗濯運転のコースを設定する操作キーの他、この場合、「風呂水浄化コース」を設定するための操作キーと、浴槽の貯水量を設定可能な操作キーが設けられ、表示部７６にはそれらの設定内容も表示されるようになっている。
【００２６】
操作パネルの裏側には、制御装置７７が設けられている。制御装置７７は、マイクロコンピュータを主体に構成されたもので、洗濯機１の洗濯運転などを制御する制御手段として機能する。図３に示すように、制御装置７７には、操作キー７５や表示部７６、水位センサ７８が電気的に接続されている。水位センサ７８は、槽４内に貯留される水の水位を検出する。制御装置７７は、操作キー７５の操作と、予め備えた制御プログラムに基づき、表示部７６、給水弁１０、排水弁７２、内蔵ポンプ１２、循環ポンプ６０、駆動部８のモータ９やクラッチ、水浄化装置１３の紫外線ランプ４５、第１の流路切替弁５３、第２の流路切替弁３５、外付け用ポンプ２９などを制御することで、後述する洗濯コースや風呂水浄化コースなどのコースを実行する。
【００２７】
次に上記構成の作用を説明する。この場合、運転可能なコースとしては洗濯コースと風呂水浄化コースがあり、また、洗濯コースには水道水コースと風呂水コースがある。まず、洗濯コースについて説明する。
【００２８】
洗濯コースを行う場合には、予め洗濯物および洗剤を回転槽６内に投入しておく。洗濯コースのうち水道水コースは、使用する水としてはすべて水道水を使用する。風呂水コースは、使用する水としてはすべて風呂水を使用するが、すすぎ時に水道水を使用するようにしてもよい。水道水コースおよび風呂水コースでは、どちらも、洗い行程と、すすぎ行程と、最終脱水行程を順に行う。すすぎ行程は、通常２回あるいは３回ある。洗い行程とすすぎ行程との間、すすぎ行程とすすぎ行程との間には中間脱水行程があり、最後のすすぎ行程の後に最終脱水行程が行われる。ここでは、まず水道水コースの場合について説明する。
【００２９】
＜水道水コース＞
水道水コースの場合には、往路用ホース２６および戻し用ホース５７は使用しない。制御装置７７は、槽４への給水時には、排水弁７２を閉鎖した状態で、給水弁１０を給水状態にする。すると、水道水が、給水用流出口１５から給水管１８、注水ケース１１の給水路を通り、給水口２１から槽４内へ供給され、槽４内に貯留される。槽４内の水位は水位センサ７８により検出される。槽４内の水位が設定水位に達すると、制御装置７７は、給水弁１０による給水を停止し、パルセータ７による撹拌を行う。パルセータ７をモータ９により正逆回転させることにより、槽４内の洗濯物および洗濯水が撹拌され、洗濯物が洗われる。
【００３０】
また、この洗い行程において、循環ポンプ６０を駆動して、槽４内の水を、循環水路６６を通して循環させる循環運転を行う。このとき、第２の流路切替弁３５は循環水通水状態とすることで、第３の入口３６ｃと出口３７を連通させた状態とし、また、第１の流路切替弁５３は槽通水状態とすることで、入口５４と第１の出口５５ａを連通させた状態とする。これにより、槽４内の水は、循環水路６６、水浄化装置１３の浄化装置ケース４２、接続管５６、注水ケース１１、給水口２１を通して槽４に戻されるように循環されるようになる。このとき、水浄化装置１３における紫外線ランプ４５は、オフ状態としておく。その理由は、浄化装置ケース４２内を洗濯水が通過する過程で、その洗濯水に含まれた洗剤に紫外線ランプ４５による紫外線が照射されると、洗剤成分の分子構造が破壊されるおそれがあるため、洗い行程では紫外線ランプ４５はオフ状態としておく方がよいからである。洗い行程の設定時間が経過したら、パルセータ７および循環ポンプ６０の駆動を停止させ、排水弁７２を開放させることで排水を行う。
【００３１】
すすぎ行程では、洗剤を使用しない以外は洗い行程とほぼ同様な制御が行われる。ただし、循環ポンプ６０を駆動する循環運転時には、紫外線ランプ４５を点灯させることで、浄化装置ケース４２内を通過する水を浄化する。中間脱水行程および最終脱水行程では、回転槽６とパルセータ７を一体的に一方向へ高速回転させることにより、回転槽６内の洗濯物を遠心脱水する。
【００３２】
＜風呂水コース＞
洗濯コースのうち、風呂水コースを行う場合には、予め往路用ホース２６をセットしておく。往路用ホース２６は、一端部を内蔵ポンプ１２のホース接続口２３に接続し、他端部を浴槽２７の風呂水２８内に挿入しておく。このとき、風呂水を汲み上げるポンプとして外付け用ポンプ２９を使用する場合には、外付け用ポンプ２９の電源接続部３１を洗濯機本体１Ａの直流電源３２に接続し、外付け用ポンプ２９を使用せず内蔵ポンプ１２を使用する場合には、外付け用ポンプ２９の電源接続部３１を直流電源３２には接続しない。制御装置７７は、その電源接続部３１が直流電源３２に接続されているか否かで、外付け用ポンプ２９を使用するか、内蔵ポンプ１２を使用するかを判断する。
【００３３】
制御装置７７は、風呂水を槽４へ供給する風呂水給水時には、排水弁７２を閉鎖し、第２の流路切替弁３５を風呂水通水状態（第１の入口３６ａと出口３７を連通させる状態）、第１の流路切替弁５３を槽通水状態（入口５４と第１の出口５５ａを連通させる状態）とし、水浄化装置１３の紫外線ランプ４５を点灯させた状態で、内蔵ポンプ１２または外付け用ポンプ２９を駆動させる。なお、内蔵ポンプ１２を使用する場合には、内蔵ポンプ１２を駆動する前に、給水弁１０を呼び水給水状態とすることで、内蔵ポンプ１２に呼び水を供給しておく。内蔵ポンプ１２または外付け用ポンプ２９を駆動することで、浴槽２７内の風呂水２８が、往路用ホース２６を通して内蔵ポンプ１２側に汲み上げられ、その風呂水は、接続管４０、水浄化装置１３の浄化装置ケース４２、接続管５６、注水ケース１１を通り、給水口２１から槽４内に供給されて貯留される。このとき、風呂水が浄化装置ケース４２内を通過する際に浄化される。したがって、槽４内には、水浄化装置１３で浄化された風呂水が供給される。
【００３４】
槽４内の水位が設定水位に達すると、制御装置７７は、内蔵ポンプ１２または外付け用ポンプ２９による給水を停止する。この後、制御装置７７は、洗い行程を実行する。洗い行程では、パルセータ７による撹拌を行い、また、第２の流路切替弁３５を循環水通水状態（第３の入口３６ｃと出口３７を連通させた状態）とするとともに循環ポンプ６０を駆動して、槽４内の水（風呂水）を循環水路６６を通して循環させる循環運転を行う。このときも、水浄化装置１３の紫外線ランプ４５を点灯させておくことで、浄化装置ケース４２内を通る風呂水を浄化する。
【００３５】
制御装置７７は、洗い行程が終了したら、排水後、すすぎ行程を行う。すすぎ行程では、洗剤を使用しない以外は洗い行程とほぼ同様な制御が行われる。中間脱水行程および最終脱水行程では、水道水コースの場合と同様に、回転槽６とパルセータ７を一体的に一方向へ高速回転させることにより、回転槽６内の洗濯物を遠心脱水する。
【００３６】
＜風呂水浄化コース（水浄化コース）＞
次に、浴槽２７内の風呂水を、洗濯機本体１Ａが備えた水浄化装置１３を用いて浄化して再利用する風呂水浄化コースについて、図４のフローチャートも参照して説明する。風呂水浄化コースを行う場合、往路用ホース２６を前記風呂水コースの場合と同様にセットするとともに、戻し用ホース５７をセットする。戻し用ホース５７は、一端部を第１の流路切替弁５３の第２の出口５５ｂに接続し、他端部を浴槽２７内の風呂水２８中に挿入しておく。
【００３７】
制御装置７７は、風呂水浄化コースをスタートすると、まず、前回行ったコースが風呂水浄化コースであったか洗濯コースであったかを判断する（ステップＳ１）。前回も風呂水浄化コースを行ったと判断した場合には、ステップＳ２へ移行し、第２の流路切替弁３５を風呂水通水状態（第１の入口３６ａと出口３７を連通させた状態）とした後、使用するポンプが外付け用ポンプ２９か、内蔵ポンプ１２かを判断する（ステップＳ３）。制御装置７７は、外付け用ポンプ２９の電源接続部３１が直流電源３２に接続されていると判断した場合には外付け用ポンプ２９を使用すると判断し、その電源接続部３１が直流電源３２に接続されていないと判断した場合には内蔵ポンプ１２を使用すると判断する。
【００３８】
制御装置７７は、外付け用ポンプ２９を使用すると判断した場合には、ステップＳ４へ移行し、第１の流路切替弁５３を浴槽戻し状態（入口５４と第２の出口５５ｂを連通させる状態）にする。この後、制御装置７７は、水浄化装置１３の紫外線ランプ４５を点灯させ（ステップＳ５）、外付け用ポンプ２９を駆動させる（ステップＳ６）。これにより、浴槽２７内の風呂水が、往路用ホース２６を通して内蔵ポンプ１２側に汲み上げられ、その風呂水は、接続管４０、水浄化装置１３の浄化装置ケース４２、接続管５６、戻し用ホース５７を通り、浴槽２７内へ戻されるように循環する。このとき、風呂水が浄化装置ケース４２内を通過する際に浄化される。
【００３９】
制御装置７７は、この風呂水浄化運転を予め設定された設定時間行う（ステップＳ７）。これにより、浴槽２７内の風呂水を、再度入浴が可能な程度の清潔さにまで浄化することが可能になる。設定時間が経過したら、外付け用ポンプ２９の駆動を停止させ（ステップＳ８）、また、紫外線ランプ４５を消灯させ（ステップＳ９）、終了する。
【００４０】
制御装置７７は、ステップＳ３において、外付け用ポンプ２９の電源接続部３１が直流電源３２に接続されておらず、内蔵ポンプ１２を使用すると判断した場合には、ステップＳ１０へ移行し、まず給水弁１０を呼び水給水状態（呼び水用流出口を開放状態）とし、排水弁７２を開放する（ステップＳ１１)。給水弁１０を呼び水給水状態とすることで、水道水が、呼び水用給水管１９、注水ケース１１の呼び水用給水路、呼び水用通水路３３を通り、内蔵ポンプ１２に呼び水として供給される。このとき、呼び水として供給された水道水が注水ケース１１内において給水路から溢れることがあるが、その溢れた水は給水口２１から槽４内に供給されることになる。槽４内に供給された水道水は、開放状態の排水弁７２を通り機外へ排出される。
【００４１】
制御装置７７は、内蔵ポンプ１２への呼び水の供給が完了したら、給水弁１０を呼び水給水停止状態（呼び水用流出口を閉鎖状態）とし（ステップＳ１２)、また、排水弁７２を閉鎖する（ステップＳ１３)。この後、制御装置７７は、ステップＳ１４へ移行し、第１の流路切替弁５３を浴槽戻し状態（入口５４と第２の出口５５ｂを連通させる状態）にする。この後、水浄化装置１３の紫外線ランプ４５を点灯させ（ステップＳ１５）、内蔵ポンプ１２を駆動させる（ステップＳ１６）。これにより、浴槽２７内の風呂水が、往路用ホース２６を通して内蔵ポンプ１２側に汲み上げられ、その風呂水は、接続管４０、水浄化装置１３の浄化装置ケース４２、接続管５６、戻し用ホース５７を通り、浴槽２７内へ戻されるように循環する。このとき、風呂水が浄化装置ケース４２内を通過する際に浄化される。
【００４２】
制御装置７７は、この風呂水浄化運転を予め設定された設定時間行う（ステップＳ１７）。これにより、浴槽２７内の風呂水を、再度入浴が可能な程度の清潔さにまで浄化することが可能になる。設定時間が経過したら、内蔵ポンプ１２の駆動を停止させ（ステップＳ１８）、また、紫外線ランプ４５を消灯させ（ステップＳ１９）、終了する。
【００４３】
制御装置７７は、前記ステップＳ１において、前回行ったコースが洗濯コースであったと判断した場合には、ステップＳ２０へ移行し、第２の流路切替弁３５を洗浄水通水状態（第２の入口３６ｂと出口３７を連通させた状態）とし、また、第１の流路切替弁５３を槽通水状態（入口５４と第１の出口５５ａを連通させた状態）とし（ステップＳ２１)、さらに、排水弁７２を開放させた状態とする（ステップＳ２２)。
【００４４】
この後、制御装置７７は、給水弁１０を洗浄水給水状態とすることで洗浄用流出口１７を開放させる（ステップＳ２３）。これにより、水道水が、洗浄用給水管２０、接続管４０、浄化装置ケース４２、接続管５６、注水ケース１１を通り、給水口２１から槽４内へ供給される。これにより、特に浄化装置ケース４２内が水道水により洗われ、仮に前回の洗濯コースで使用した洗剤成分が浄化装置ケース４２内に残っていたとしても、その洗剤成分を洗い流すことが可能になる。制御装置７７は、この洗浄行程を所定時間行ったら、給水弁１０の洗浄用流出口１７を閉鎖して給水を停止させ（ステップＳ２４）、排水弁７２を閉鎖し（ステップＳ２５）、この後、ステップＳ２へ移行する。
【００４５】
ここで、上述した風呂水浄化コースを実行する際の運転時間は次のようにして設定することが好ましい。外部貯水源となる浴槽２７に貯留される水量をＡ（Ｌ）、ポンプ（内蔵ポンプ１２、外付け用ポンプ２９）の流量をＢ（Ｌ／ｍｉｎ）、水浄化装置１３の処理体積となる浄化装置ケース４２の処理体積をＣ（Ｌ）、紫外線照射手段である紫外線ランプ４５の紫外線照射強度をＤ（Ｗ／ｃｍ２）、対象菌９９．９９％以上の除菌効果を発揮する紫外線照射量をＥ（Ｗ・ｍｉｎ／ｃｍ２）としたとき、浄化装置ケース４２内を通過する水の通過時間はＣ／Ｂ（ｍｉｎ）で、そのときの紫外線照射量はＣ・Ｄ／Ｂ（Ｗ・ｍｉｎ／ｃｍ２）となる。
【００４６】
対象菌９９．９９％以上除菌するには、Ｅ／（Ｃ・Ｄ／Ｂ）＝（Ｂ・Ｅ）／（Ｃ・Ｄ）（回）、風呂水を通過させる必要があり、浴槽２７内の風呂水を全て一度除菌浄化するのにかかる時間はＡ／Ｂ（ｍｉｎ／回）であるため、風呂水の浄化時間は（Ａ・Ｅ）／（Ｃ・Ｄ）（ｍｉｎ）以上必要となり、風呂水の水量Ａに定数Ｅ／（Ｃ・Ｄ）を乗じた時間以上処理することが好ましい。したがって、風呂水浄化コースを実行する際の運転時間（処理時間）としては、（Ａ・Ｅ）／（Ｃ・Ｄ）（ｍｉｎ）以上とすることが好ましい。
【００４７】
（Ｅ値（Ｗ・ｍｉｎ／ｃｍ２）の参考）
大腸菌：０．０００１１６  大腸菌群の代表
枯草菌：０．０００７１５  一般細菌で最も紫外線照射量が必要な細菌
水道法では一般細菌は１００個／ｍｌ以下、大腸菌群は検出しないことを規定している。（出典：東芝ライラック技術資料ＳＴＤ  Ｎｏ．Ｆ−３5Ｇ  ｐ８（東芝林間病院  相沢、近岡））
風呂水菌は１０６個／ｍｌ程度であるため、本実施形態では９９．９９％以上除菌に設定している（１０６→１０２）。
【００４８】
この場合、ポンプによる流量Ｂは、水浄化装置１３による上記処理時間には影響しない。理論立て処理時間を求めるには、上記したように計算上Ｂ値は必要となる。Ｂ値の影響がでない理由としては、流量が高いと水浄化装置１３内での紫外線照射量が少なくなり、巡回回数を多くして照射量を稼ぐ必要がある。逆に、流量が低い場合は、水浄化装置１３内での紫外線照射量が多くなるため、循環回数を少なくすることができる。
【００４９】
上記した実施形態によれば、次のような作用効果を得ることができる。
紫外線ランプ４５を有して洗濯機本体１Ａに設けられ通過する水を浄化する機能を備えた水浄化装置１３と、この水浄化装置１３の入口側に設けられ外部貯水源となる浴槽２７に貯留された風呂水を水浄化装置１３に案内する往路用ホース２６と、水浄化装置１３の出口側に設けられ当該水浄化装置１３を通過した水を浴槽２７に戻すように案内する戻し用ホース５７と、浴槽２７の風呂水を往路用ホース２６を通して水浄化装置１３へ供給するポンプとして内蔵ポンプ１２および外付け用ポンプ２９と、を備える構成とした。これにより、浴槽２７内に貯留された風呂水を浄化して浴槽２７に戻して再利用することが可能になる。しかも、その風呂水を浄化する水浄化装置１３は、洗濯機本体１Ａが備えたものを利用すればよいので、工事等の必要もなく、比較的簡単な構成で、容易に達成することができる。この場合、水浄化装置１３としては、紫外線ランプ４５を利用したものであるので、危険性も少なく、安全性が高い。
【００５０】
水浄化装置１３に光触媒５０を備えた構成とすることで、有機成分の分解を効率よく行うことができ、風呂水の浄化機能を一層向上できる。
水浄化装置１３の出口側に、当該水浄化装置１３を通過した水を槽４側へ流す場合と戻し用ホース５７側へ流す場合とを切り替えが可能な第１の流路切替弁５３を備えている。第１の流路切替弁５３の切り替えにより、水浄化装置１３で浄化した水を槽４側へ流す場合と戻し用ホース５７側へ流す場合との切り替えが容易にできる。
【００５１】
洗濯機本体１Ａに設けられた内蔵ポンプ１２により、浴槽２７内の風呂水を水浄化装置１３を通して浴槽２７に戻すように循環させる場合、前記第１の流路切替弁５３の出先を戻し用ホース５７側に切り替えるとともに、水浄化装置１３を作動させた状態で、内蔵ポンプ１２を作動させる構成とした。これにより、洗濯機本体１Ａに備えられた内蔵ポンプ１２を利用して、浴槽２７の風呂水を浄化して再利用することが可能になる。
【００５２】
往路用ホース２６の先端部に外付け用ポンプ２９が設けられている。これにより、風呂水を浄化する際にこの外付け用ポンプ２９を利用することができる。また、その外付け用ポンプ２９を利用することで、内蔵ポンプ１２の使用寿命を延ばすことが可能となる。風呂水を循環させて浄化する場合、大量の水を処理する必要があるため、内蔵ポンプ１２とは別の外付け用ポンプ２９を利用することが好ましい。
【００５３】
洗濯機本体１Ａには、外付け用ポンプ２９を接続可能な直流電源３２が設けられている。これにより、外付け用ポンプ２９を容易に使用することが可能になる。また、着脱が容易にできる。さらに、直流電源３２であれば、市販の安価なポンプの使用も可能となる。
【００５４】
外付け用ポンプ２９により、浴槽２７内の水を水浄化装置１３を通して浴槽２７に戻すように循環させる場合、前記第１の流路切替弁５３の出先を戻し用ホース５７側に切り替えるとともに、水浄化装置１３を作動させた状態で、外付け用ポンプ２９を作動させる構成とした。これにより、外付け用ポンプ２９を利用して、浴槽２７の風呂水を浄化して再利用することが可能になる。
【００５５】
水浄化装置１３の入口側には第２の流路切替弁３５が設けられていて、この第２の流路切替弁３５は、往路用ホース２６が接続される第１の入口３６ａと、水道水用給水路を構成する洗浄用給水管２０が接続される第２の入口３６ｂと、槽４内の水を循環させる循環水路６６が接続される第３の入口３６ｃと、水浄化装置１３の入口となる流入口４１に接続される一つの出口３７と、を備えている。そして、浴槽２７内の風呂水を水浄化装置１３を通して浴槽に戻すように循環させる場合において、前回の運転コースが洗濯コースであった場合には、第２の流路切替弁３５を洗浄水通水状態とすることで第２の入口３６ｂと出口３７とを連通させるように切り替えるとともに、第１の流路切替弁５３の出先を槽４にした状態で、所定時間水道水を水浄化装置１３を通して槽４へ流し、この後、第２の流路切替弁３５を風呂水通水状態に切り替えることで第１の入口３６ａと出口３７とを連通させるようにするとともに、第１の流路切替弁５３の出先を戻し用ホース５７に切り替え、水浄化装置１３を作動させた状態で、内蔵ポンプ１２または外付け用ポンプ２９を作動させて浴槽２７の風呂水を水浄化装置１３を通して浴槽２７に戻すように循環させる構成とした。
【００５６】
これにより、風呂水を循環させる前に、水浄化装置１３を水道水で洗浄することが可能となり、仮に前回の洗濯で使用した洗剤成分が水浄化装置１３内に残っていたとしてもそれを洗い流すことで、洗剤分が浴槽内に流されることを防止できる。
【００５７】
浴槽２７に貯留される風呂水の水量をＡ（Ｌ）、水浄化装置１３の処理体積をＣ（Ｌ）、紫外線ランプ４５の照射強度をＤ（Ｗ／ｃｍ２）、対象菌９９．９９％以上の除菌効果を発揮する紫外線照射量をＥ（Ｗ・ｍｉｎ／ｃｍ２）としたとき、水浄化装置１３の運転時間を（Ａ・Ｅ）／（Ｃ・Ｄ）（ｍｉｎ）以上とした風呂水浄化コースを設けた。これにより、風呂水を確実に除菌でき、清潔さを良好に保持することが可能となる。
【００５８】
（第２の実施形態）
次に第２の実施形態について図５から図７を参照して説明する。第１の実施形態と異なっている部分を中心に説明する。まず図５において、洗濯機本体１Ｂが備えた水浄化装置１３の出口側には、第１の流路切替弁５３は設けられておらず、水浄化装置１３の流出口４９に接続管５６が直接接続されている。前記戻し用ホース５７は設けられていない。また、第２の流路切替弁３５には、第１の入口３６ａと第２の入口３６ｂは設けられているが、第３の入口３６ｃは設けられておらず、この第３の入口３６ｃに接続される循環水路６６も循環ポンプ６０も設けられていない。したがって、第２の流路切替弁３５は、第１の入口３６ａと出口３７を連通させる風呂水通水状態と、第２の入口３６ｂと出口３７を連通させる洗浄水通水状態との切り替えが可能であり、循環水通水状態はない。
【００５９】
そして、フィルタユニット６２において、フィルタケース６３には、循環用流出口６４は設けられておらず、排水用流出口６８に、排水弁７２を介して排水ポンプ８０を設けている。排水ポンプ８０の吸入口８１を排水弁７２に接続し、吐出口８２を排水路８３に接続している。したがって、排水ポンプ８０は排水路８３に設けられている。この場合、排水路８３は、ホースにより構成されていて、導出先を変えることが可能である。槽４内に貯留された水を機外へ排出する場合には、排水路８３の先端を、洗濯機１が設置された場所に設けられる図示しない機外排水口に向けられる。後述するように、浴槽２７内の風呂水を水浄化装置１３を通して浄化し、その浄化した風呂水を浴槽２７内に戻す場合には、図５に示すように、排水路８３の先端を浴槽２７内に挿入しておく。この場合、排水路８３は、水浄化装置１３を通過した水を浴槽２７へ戻すように案内する戻し用水路として機能する。
【００６０】
上記構成において、洗濯コースのうち、水道水コースを行う場合には、往路用ホース２６は使用しない。排水路８３の先端部は、図示しない機外排水口に向けておく。槽４への給水時には、排水弁７２を閉鎖した状態で給水弁１０を給水状態にすることで、水道水を槽４内へ供給し貯留する。洗い行程およびすすぎ行程では、パルセータ７による撹拌は行われるが、循環ポンプによる循環運転は行われない。排水時には、排水弁７２を開放し、排水ポンプ８０を駆動することにより、槽４内の水を排水路８３を通して機外へ排出する。
【００６１】
洗濯コースのうち、風呂水コースを行う場合には、往路用ホース２６を図５のようにセットする。このとき、風呂水を汲み上げるポンプとして外付け用ポンプ２９を使用する場合には、外付け用ポンプ２９の電源接続部３１を直流電源３２に接続し、外付け用ポンプ２９を使用せず内蔵ポンプ１２を使用する場合には、電源接続部３１を直流電源３２に接続しない。槽４への給水時には、排水弁７２を閉鎖し、第２の流路切替弁３５を風呂水通水状態（第１の入口３６ａと出口３７を連通させる状態）とし、水浄化装置１３の紫外線ランプ４５を点灯させた状態で、内蔵ポンプ１２または外付け用ポンプ２９を駆動させる。なお、この場合も、内蔵ポンプ１２を使用する場合には、内蔵ポンプ１２を駆動する前に、給水弁１０を呼び水給水状態とすることで、内蔵ポンプ１２に呼び水を供給しておく。
【００６２】
内蔵ポンプ１２または外付け用ポンプ２９を駆動することで、浴槽２７内の風呂水２８が、往路用ホース２６を通して内蔵ポンプ１２側に汲み上げられ、その風呂水は、接続管４０、水浄化装置１３の浄化装置ケース４２、接続管５６、注水ケース１１を通り、給水口２１から槽４内に供給されて貯留される。このとき、風呂水が浄化装置ケース４２内を通過する際に浄化される。この場合も洗い行程およびすすぎ行程では、パルセータ７による撹拌は行われるが、循環ポンプによる循環運転は行われない。排水時には、排水弁７２を開放し、排水ポンプ８０を駆動することにより、槽４内の水を排水路８３を通して機外へ排出する。
【００６３】
次に、風呂水浄化コースを実行する場合について説明する。
＜風呂水浄化コース（水浄化コース）＞
風呂水浄化コースを行う場合、往路用ホース２６を、図５に示すように、第１実施形態における風呂水浄化コースを行う場合と同様にセットするとともに、排水路８３の先端を浴槽２７内に挿入した状態にしておく。風呂水浄化コースにおいては、主に図７を参照して説明する。ここでは、第１の実施形態おける図４と同様な部分は簡単に説明し、主に異なっている部分について説明する。
【００６４】
制御装置７７は、風呂水浄化コースをスタートすると、まず、前回行ったコースが風呂水浄化コースであったか洗濯コースであったかを判断する（ステップＳ１）。前回も風呂水浄化コースを行ったと判断した場合には、ステップＳ２へ移行し、第２の流路切替弁３５を風呂水通水状態とした後、使用するポンプが外付け用ポンプ２９か、内蔵ポンプ１２かを判断する（ステップＳ３）。この場合も、制御装置７７は、外付け用ポンプ２９の電源接続部３１が直流電源３２に接続されていると判断した場合には外付け用ポンプ２９を使用すると判断し、その電源接続部３１が直流電源３２に接続されていないと判断した場合には内蔵ポンプ１２を使用すると判断する。
【００６５】
制御装置７７は、外付け用ポンプ２９を使用すると判断した場合には、ステップＳ５へ移行して水浄化装置１３の紫外線ランプ４５を点灯させ、外付け用ポンプ２９を駆動させる（ステップＳ６）。これにより、浴槽２７内の風呂水が、往路用ホース２６を通して内蔵ポンプ１２側に汲み上げられ、その風呂水は、接続管４０、水浄化装置１３の浄化装置ケース４２、接続管５６、注水ケース１１を通り、給水口２１から槽４内に供給される。このとき、風呂水が浄化装置ケース４２内を通過する際に浄化される。
【００６６】
そして、制御装置７７は、排水弁７２を開放し（ステップＳ３１）、排水ポンプ８０を駆動させる（ステップＳ３２）。これにより、槽４内の風呂水が、排水路８３を通して浴槽２７内に戻される。制御装置７７は、この風呂水浄化運転を予め設定された設定時間行う（ステップＳ７）。これにより、浴槽２７内の風呂水を、再度入浴が可能な程度の清潔さにまで浄化することが可能になる。設定時間が経過したら、外付け用ポンプ２９の駆動を停止させ（ステップＳ８）、また、排水ポンプ８０の駆動を停止させ（ステップＳ３３）、排水弁７２を閉鎖し（ステップＳ３４）、紫外線ランプ４５を消灯させ（ステップＳ９）、終了する。
【００６７】
制御装置７７は、ステップＳ３において、外付け用ポンプ２９の電源接続部３１が直流電源３２に接続されておらず、内蔵ポンプ１２を使用すると判断した場合には、ステップＳ１０へ移行して給水弁１０を呼び水給水状態とする。給水弁１０を呼び水給水状態とすることで、水道水が、内蔵ポンプ１２に呼び水として供給される。呼び水の供給が完了したら、給水弁１０を呼び水給水停止状態とする（ステップＳ１２）。この後、水浄化装置１３の紫外線ランプ４５を点灯させ（ステップＳ１５）、内蔵ポンプ１２を駆動させる（ステップＳ１６）。これにより、浴槽２７内の風呂水が、往路用ホース２６を通して内蔵ポンプ１２側に汲み上げられ、その風呂水は、接続管４０、水浄化装置１３の浄化装置ケース４２、接続管５６、注水ケース１１を通り、給水口２１から槽４内に供給される。このとき、風呂水が浄化装置ケース４２内を通過する際に浄化される。
【００６８】
そして、制御装置７７は、排水弁７２を開放し（ステップＳ３５）、排水ポンプ８０を駆動させる（ステップＳ３６）。これにより、槽４内の風呂水が、排水路８３を通して浴槽２７内に戻される。制御装置７７は、この風呂水浄化運転を予め設定された設定時間行う（ステップＳ１７）。これにより、浴槽２７内の風呂水を、再度入浴が可能な程度の清潔さにまで浄化することが可能になる。設定時間が経過したら、内蔵ポンプ１２の駆動を停止させ（ステップＳ１８）、また、排水ポンプ８０の駆動を停止させ（ステップＳ３７）、排水弁７２を閉鎖し（ステップＳ３８）、紫外線ランプ４５を消灯させ（ステップＳ１９）、終了する。
【００６９】
制御装置７７は、前記ステップＳ１において、前回行ったコースが洗濯コースであったと判断した場合には、ステップＳ２０へ移行し、第２の流路切替弁３５を洗浄水通水状態とし、排水弁７２を開放状態とする（ステップＳ３９)。
【００７０】
この後、制御装置７７は、給水弁１０を洗浄水給水状態とすることで洗浄用流出口１７を開放させる（ステップＳ２３）。これにより、水道水が、洗浄用給水管２０、接続管４０、浄化装置ケース４２、接続管５５、注水ケース１１を通り、給水口２１から槽４内へ供給される。これにより、特に浄化装置ケース４２内が水道水により洗われる。制御装置７７は、この洗浄行程を所定時間行ったら、給水弁１０の洗浄用流出口１７を閉鎖して給水を停止させ（ステップＳ２４）、排水ポンプ８０を駆動させる（ステップＳ４０）。このとき、使用者が排水路８３の先端を図示しない機外排水口に向けておくことで、槽４内の水を機外へ排出させることができる。槽４内の水の排水が終わったら、制御装置７７は、排水ポンプ８０の駆動を停止させ（ステップＳ４１）、排水弁７２を閉鎖し（ステップＳ４２）、この後、ステップＳ２へ移行する。このとき、使用者が排水路８３の先端を浴槽２７内に挿入しておく。
【００７１】
上記した第２の実施形態によれば、内蔵ポンプ１２または外付け用ポンプ２９と、排水ポンプ８０を利用することで、浴槽２７内に貯留された風呂水を浄化して浴槽２７に戻して再利用することが可能になる。しかも、その風呂水を浄化する水浄化装置１３は、洗濯機本体１Ｂが備えたものを利用すればよいので、工事等の必要もなく、比較的簡単な構成で、容易に達成することができる。
【００７２】
（その他の実施形態）
水浄化装置１３による浄化対象の水を貯留する外部貯水源としては、風呂水を貯留する浴槽に限られず、例えば雨水を貯留するタンクとすることもできる。
洗濯機としては、槽４の軸方向が上下方向を向いた縦軸型の洗濯機に限られず、水槽および回転槽の軸方向が横向きのドラム式洗濯機にも適用できる。
【００７３】
以上説明したように本実施形態の洗濯機によれば、外部貯水源に貯留された水を浄化して外部貯水源に戻して再利用することが可能で、しかもこれを比較的簡単な構成で容易に達成することが可能となる。
【００７４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７５】
図面中、１は洗濯機、１Ａ，１Ｂは洗濯機本体、４は槽、１０は給水弁、１２は内蔵ポンプ（ポンプ）、１３は水浄化装置、２０は洗浄用給水管（水道水用給水路）、２６は往路用ホース（往路用水路）、２７は浴槽（外部貯水源）、２８は風呂水、２９は外付け用ポンプ（ポンプ）、３１は電源接続部、３２は直流電源、３５は第２の流路切替弁、３６ａは第１の入口、３６ｂは第２の入口、３６ｃは第３の入口、３７は出口、４５は紫外線ランプ（紫外線照射手段）、５０は光触媒、５３は第１の流路切替弁、５７は戻し用ホース（戻し用水路）、６０は循環ポンプ、６６は循環水路、７７は制御装置（制御手段）、８０は排水ポンプ、８３は排水路（戻し用水路）を示す。
【図１】
2015136424.tif 000003
【図２】
2015136424.tif 000004
【図３】
2015136424.tif 000005
【図４】
2015136424.tif 000006
【図５】
2015136424.tif 000007
【図６】
2015136424.tif 000008
【図７】
2015136424.tif 000009